(57)【要約】【課題】  光情報記録媒体を裏返しせずに光情報記録装置で描画することができ、かつ照射するレーザ光の波長に依存しないで描画することが可能な光情報記録媒体を提案する。【解決手段】  光情報記録媒体１は、第一の基板２上に記録層３ａ、第一の反射層３ｂが順次形成された情報記録部３を有し、第二の基板５上に第二の反射層４ａ変色層４ｂ１、変色補助層４ｂ２及び保護層４ｃが順次形成された描画部４を有し、第二の反射層４ａにレーザ光を照射することにより加熱し、この熱によって変色層４ｂ１中の物質と変色補助層４ｂ２中の物質とを加熱溶融して混合し、変色させることにより、画像を形成する。【選択図】  図１
2008204567.tif 000002
【特許請求の範囲】
【請求項１】
光透過性の第一の基板の一方の面上に、記録層、第一の反射層の順に形成された情報記録部を有し、前記情報記録部が形成された面側にさらに可視情報を記録可能な描画部を有する光情報記録媒体において、
前記第一の反射層は半透過反射層であり、
前記描画部は前記情報記録部側から第二の反射層、描画層、保護層の順に形成され、
前記描画層は可視情報が記録される変色層と、前記変色層を変色させる物質を含む変色補助層と、を有している
ことを特徴とする光情報記録媒体。
【請求項２】
前記第二の反射層は半透過反射層であることを特徴とする請求項１に記載の光情報記録媒体。
【請求項３】
前記変色層及び前記変色補助層は、レーザ光が照射されることによって発熱する物質を含むことを特徴とする請求項２に記載の光情報記録媒体。
【請求項４】
前記描画層は、前記第二の反射層に近い側から前記変色層、前記変色補助層の順に形成されていることを特徴とする請求項１または２に記載の光情報記録媒体。
【請求項５】
前記描画層は、前記変色層または前記変色補助層のうち前記第二の反射層に近い方の層の厚みが薄く形成されていることを特徴とする請求項１または２に記載の光情報記録媒体。
【請求項６】
前記描画層は、前記変色層と前記変色補助層との間に中間層が形成されていることを特徴とする請求項１または２に記載の光情報記録媒体。
【請求項７】
前記第一の基板の前記情報記録部が形成された面上に、接着剤層を介して光透過性の第二の基板が貼りあわされており、前記第二の基板の前記情報記録部が貼り合わされている面と反対側の面上に前記描画部が形成されていることを特徴とする請求項１または２に記載の光情報記録媒体。
【請求項８】
光透過性の第二の基板の一方の面上に描画層、第二の反射層の順に形成された描画部を有し、前記描画部が形成された面と、前記第一の基板の前記情報記録部が形成された面と、を接着剤層を介して貼りあわせていることを特徴とする請求項１または２に記載の光情報記録媒体。
【請求項９】
前記描画部は前記情報記録部に隣接して形成されており、前記第一の反射層と前記第二の反射層は一つの半透過反射層を共用していることを特徴とする請求項２に記載の光情報記録媒体。
【請求項１０】
前記第一の基板の前記情報記録部及び前記描画部が形成された面に、接着剤層を介して光透過性の第二の基板が貼りあわされていることを特徴とする請求項９に記載の光情報記録媒体。
【請求項１１】
光透過性の第一の基板の一方の面上に、第一の反射層、記録層の順に形成された情報記録部を有し、前記情報記録部の前記記録層上に光透過性のカバー層が形成されており、前記第一の基板の他方の面上に可視情報を記録可能な描画部を有する光情報記録媒体において、
前記第一の反射層は半透過反射層であり、
前記描画部は前記第一の基板側から第二の反射層、描画層、保護層の順に形成され、
前記描画層は可視情報が記録される変色層と、前記変色層を変色させる物質を含む変色補助層と、を有している
ことを特徴とする光情報記録媒体。
【請求項１２】
光透過性の第一の基板の一方の面に、記録用レーザ光を入射させる側から記録層、第一の反射層の順に形成された情報記録部を有し、前記情報記録部に対して記録用レーザ光を入射させる側と反対側の位置に、記録用レーザ光を入射させる側から第二の反射層、描画層、保護層の順に形成され、前記描画層が、可視情報が記録される変色層と、前記変色層を変色させる物質を含む変色補助層と、で構成された描画部を有する光情報記録媒体に可視情報を記録する描画方法において、
前記描画部に、前記記録用レーザ光と同じ方向から描画用レーザ光を照射して、
前記第二の反射層に焦点を当てて、前記変色層及び前記変色補助層を加熱溶融し、
前記変色層を構成する物質と前記変色補助層を構成する物質とを混合して変色させることにより可視情報を記録する
ことを特徴とする光情報記録媒体の描画方法。
【請求項１３】
前記情報記録部への記録用レーザ光の照射と、前記描画部への描画用レーザ光の照射とを同時に行うことを特徴とする請求項１２に記載の光情報記録媒体の描画方法。
【発明の詳細な説明】
【技術分野】
【０００１】
本発明は、ＤＶＤ±Ｒ等の光情報記録媒体であって、レーザ照射によって描画が可能な構造を有する光情報記録媒体およびその描画方法を提案するものである。
【背景技術】
【０００２】
追記型ＣＤ（ＣＤ−Ｒ）、追記型ＤＶＤ（ＤＶＤ±Ｒ）や追記型ブルーレイディスク（ＢＤ−Ｒ）等の光情報記録媒体は、直径１２ｃｍまたは直径８ｃｍの透光性基板に、記録層及び反射層を形成した構造を有する。このうち、ＣＤ−Ｒは厚み１．２ｍｍの透光性基板上に記録層及び反射層を形成した構造を有する。ＤＶＤ±Ｒは、より高密度記録を実現するためにレーザ光の波長が短くかつ開口数（ＮＡ）の大きい対物レンズを用いる方式が採られており、これに伴ってディスクの傾き角度（チルト）の許容値を大きくする必要が出てきたために記録層及び反射層を有する透光性基板の厚みを０．６ｍｍにしている。そのため、ＣＤ−Ｒと厚みを合わせるためにＤＶＤ±Ｒは０．６ｍｍの厚みを有する同形状の基板を貼り合せて形成されている。また、ＢＤ−Ｒはさらに高密度記録を実現するため、厚さ１．１ｍｍの透光性基板の光入射側の面に反射層及び記録層を順次形成し、その上に厚さ０．１ｍｍの光透過層が形成された構造を有する。
【０００３】
このような光情報記録媒体においては、記録用レーザ光入射側と反対側の面は通常レーベル面として利用されており、その表面に文字、記号、図形、模様またはこれらの組合せ等が印刷表示される。また、この面に、インクジェットプリンタ等で画像や文字を印刷できるように印刷可能層が設けられる場合もある。
【０００４】
このような光情報記録媒体は、レーベル面に容易に画像や文字を印刷形成することが可能であるが、これを行うためには専用機器または対応機器が必要であった。そこで最近では光情報記録装置を用いてレーザ光で光情報記録媒体に描画する技術が提案されてきている。例えば特開２００６−０３１８８２号公報ではレーベル面にレーザ照射によって描画が可能な領域（描画層）を形成した光情報記録媒体が提案されており、光情報記録装置を用いて容易に描画することを可能にしている。  
【０００５】
【特許文献１】特開２００６−０３１８８２号公報
【発明の開示】
【発明が解決しようとする課題】
【０００６】
しかしながら、上記特許文献１に開示された手段では描画層が記録用レーザ光入射側の面とは反対側の面にあるので、描画するときには光情報記録媒体を裏返しする必要があった。また、上記特許文献１に開示された手段では、描画層に色素を用いているが、色素の分解特性が照射するレーザ光の波長に依存するため、分解特性が記録用レーザ光の波長に合った色素を用意する必要があった。  
【０００７】
本発明は、光情報記録媒体を裏返しせずに光情報記録装置で描画することができ、かつ照射するレーザ光の波長に依存しないで描画することが可能な光情報記録媒体を提案するものである。
【課題を解決するための手段】
【０００８】
本発明では第一の解決手段として、光透過性の第一の基板の一方の面上に、記録層、第一の反射層の順に形成された情報記録部を有し、前記情報記録部が形成された面側にさらに可視情報を記録可能な描画部を有する光情報記録媒体において、前記第一の反射層は半透過反射層であり、前記描画部は前記情報記録部側から第二の反射層、描画層、保護層の順に形成され、前記描画層は可視情報が記録される変色層と、前記変色層を変色させる物質を含む変色補助層と、を有していることを特徴とする光情報記録媒体を提案する。なお、ここで言う変色とは、光学特性（光の反射、吸収、屈折等）の変化を意味し、例えば光の吸収が少なくなって色が薄くなる「褪色」あるいは色が消える「消色」を含む。また、ここで言う光透過性とは、分光光度計で測定したときに７０％以上好ましくは８０％以上の光透過率を示すものとする。また、ここで言う可視情報とは、画像、文字、記号や模様等の目視で読み取れる情報とする。
【０００９】
上記第一の解決手段に開示された構成は次のように作用する。まず、情報記録部の第一の反射層が半透過反射層なので、描画用レーザ光を透過させるようにすることができる。こうして第一の反射層を透過した描画用レーザ光は描画部の第二の反射層に照射される。描画用レーザ光の焦点を第二の反射層に当てることにより、第二の反射層が描画用レーザ光のスポットによって加熱される。この第二の反射層からの熱が描画層に伝わると、変色層を構成する物質と変色補助層を構成する物質が加熱溶融され、混合される。この作用によって変色層が変色する。そしてこの変色層の変色によって画像などの可視情報が記録される。
【００１０】
このような第一の解決手段によれば、次のような効果が期待できる。すなわち、描画用レーザ光を記録用レーザ光と同じ方向から照射することができるので、光情報記録媒体を裏返しせずに光情報記録装置で可視情報を記録することができる。また、描画用レーザ光は描画層を加熱できればよいので、特にレーザ光の波長を限定する必要がなく、情報記録部の記録層の条件等を考慮してレーザ光波長を選択する自由度を大きくできる。また、変色層の材料として記録用レーザ光の波長に合った分解特性を有しているものを用いる必要がないので、照射するレーザ光の波長に依存しないで描画することが可能になる。
【００１１】
また、本発明では第ニの解決手段として、前記第一の手段に加えて、第二の反射層が半透過反射層である光情報記録媒体を提案する。前記第二の解決手段に開示された構成による作用は次のようになる。すなわち、描画用レーザ光の一部が第二の反射層に照射されると前記第二の反射層が加熱される。一方第二の反射層は半透過反射層なので、描画用レーザ光の一部は第二の反射層を透過して変色層に直接照射される。変色層及び変色補助層に到達した描画用レーザ光は前記変色層及び前記変色補助層を加熱する。この作用によって第二の反射層からの間接的な加熱と変色層への直接的な加熱とを利用することができるため、描画用レーザ光の照射から前記変色層及び前記変色補助層が加熱溶融されるまでの時間を短縮することができ、描画時間を早めることができる。  
【００１２】
なおこのような場合、変色層及び変色補助層に、描画用レーザ光が照射されたときに発熱するための物質が存在していれば本発明の効果がより発揮される。そこで本発明では、第三の解決手段として、前記第ニの手段に加えて、前記変色層及び前記変色補助層にレーザ光が照射されることによって発熱する物質が含まれている光情報記録媒体を提案する。これにより、第二の反射層の発熱と変色層及び変色補助層の発熱とによって変色層及び変色補助層を加熱溶融させることができ、これによって描画部に画像などの可視情報を記録することができる。  
【００１３】
また、本発明では第四の解決手段として、前記第一の手段または前記第二の解決手段に加えて、前記描画層が前記第二の反射層に近い側から前記変色層、前記変色補助層の順に形成されている光情報記録媒体を提案する。可視情報は主に変色層に形成され、特に変色層と変色補助層との界面に形成されやすい傾向がある。上記第四の解決手段によれば、変色層が第二の反射層に近い位置に存在するので、第二の反射層からの熱が変色補助層よりも変色層の方に先に伝わる。そのため、変色層が先に加熱溶融され、変色層と変色補助層との界面部分が変色する。そして変色層と変色補助層との界面が変色層のレーベル面側に位置するようになるので、描画部に記録された可視情報が見やすくなる。  
【００１４】
また、本発明では第五の解決手段として、前記第一の手段または前記第二の解決手段に加えて、前記描画層が前記変色層または前記変色補助層のうち前記第二の反射層に近い方の層の厚みが薄く形成されている光情報記録媒体を提案する。上記第五の解決手段によれば、第二の反射層からの熱が、第二の反射層に近い方の層から第二の反射層に遠い方の層へ伝わりやすくなる。そのため変色層及び変色補助層が確実に加熱溶融されて混合されるようになる。  
【００１５】
また、本発明では第六の解決手段として、前記第一の手段または前記第二の解決手段に加えて、前記描画層が前記変色層と前記変色補助層との間に中間層が形成されている光情報記録媒体を提案する。この中間層は可視情報の記録前に前記変色層と前記変色補助層に含まれる物質が接触して変色を起こさないように保護する働きを有している。また、可視情報の記録時には、前記変色層と前記変色補助層の混合の度合いを制御する働きを有する。  
【００１６】
また、本発明では第七の解決手段として、前記第一の手段または第二の解決手段に加えて、前記第一の基板の前記情報記録部が形成された面上に、接着剤層を介して光透過性の第二の基板が貼りあわされており、前記第二の基板の前記情報記録部が貼り合わされている面と反対側の面上に前記描画部が形成されている光情報記録媒体を提案する。上記第七の解決手段によれば、情報記録部と描画部が第二の基板によって隔離されているので、情報記録部に干渉しないようにして描画部に描画することが可能な光情報記録媒体を得ることができる。  
【００１７】
また、本発明では第八の解決手段として、前記第一の手段または第二の解決手段に加えて、光透過性の第二の基板の一方の面上に描画層、第二の反射層の順に形成された描画部を有し、前記描画部が形成された面と、前記第一の基板の前記情報記録部が形成された面と、を接着剤層を介して貼りあわせている光情報記録媒体を提案する。上記第八の解決手段によれば、第二の基板を保護層として用いることができるため、裏返しせずに光情報記録装置で描画することができる光情報記録媒体を低コストで得ることができる。  
【００１８】
また、本発明では第九の解決手段として、前記第二の解決手段に加えて、前記描画部が前記情報記録部に隣接して形成されており、前記第一の反射層と前記第二の反射層が一つの半透過反射層を共用している光情報記録媒体を提案する。上記第九の解決手段によれば、半透過反射層が一層で済むので、裏返しせずに光情報記録装置で描画することができる光情報記録媒体を低コストで得ることができる。  
【００１９】
なお、この第九の解決手段に加えてさらに、前記第一の基板の前記情報記録部及び前記描画部が形成された面に接着剤層を介して光透過性の第二の基板を貼りあわせても良い。この構成では、第二の基板が保護層として機能するので、描画部を保護することができる。  
【００２０】
また、本発明では第十の解決手段として、光透過性の第一の基板の一方の面上に、第一の反射層、記録層の順に形成された情報記録部を有し、前記情報記録部の前記記録層上に光透過性のカバー層が形成されており、前記第一の基板の他方の面上に可視情報を記録可能な描画部を有する光情報記録媒体において、前記第一の反射層は半透過反射層であり、前記描画部は前記第一の基板側から第二の反射層、描画層、保護層の順に形成され、前記描画層は可視情報が記録される変色層と、前記変色層を変色させる物質を含む変色補助層と、を有していることを特徴とする光情報記録媒体を提案する。上記第十の解決手段によれば、情報記録部が第一の基板の一方の面に形成され、描画部が第一の基板の他方の面に形成されるので、情報記録部と描画部が第一の基板によって隔離されるようになり、情報記録部に干渉しないようにして描画部に描画することが可能な光情報記録媒体を得ることができる。
【００２１】
また、本発明では、光透過性の第一の基板の一方の面に、記録用レーザ光を入射させる側から記録層、第一の半透過反射層の順に形成された情報記録部を有し、前記情報記録部に対して記録用レーザ光を入射させる側と反対側の位置に、記録用レーザ光を入射させる側から第二の反射層、描画層、保護層の順に形成され、前記描画層が、可視情報が記録される変色層と、前記変色層を変色させる物質を含む変色補助層と、で構成された描画部を有する光情報記録媒体に可視情報を記録する描画方法において、前記描画部に、前記記録用レーザ光と同じ方向から描画用レーザ光を照射して、前記第二の反射層に焦点を当てて、前記変色層及び前記変色補助層を加熱溶融し、前記変色層を構成する物質と前記変色補助層を構成する物質とを混合して変色させることにより可視情報を記録することを特徴とする光情報記録媒体の描画方法を提案する。この描画方法は、第二の反射層を描画用レーザ光によって加熱し、その熱によって変色層及び変色補助層を加熱する方法である。描画用レーザ光は第二の反射層を加熱できれば良いのでどのような波長のレーザ光でも用いることができる。その結果、照射するレーザ光の波長に依存しないで描画が可能になる。
【００２２】
また、この場合前記情報記録部への記録用レーザ光の照射と、前記描画部への描画用レーザ光の照射とを同時に行っても良い。描画レーザ光は波長に依存しないので、記録用レーザ光と異なる光源のレーザ光を用いることができる。これにより情報記録部へのデータ記録と、描画部への可視情報の記録を同時に行うことができる。その結果従来の光情報記録媒体に比べて、データ記録と可視情報の記録とを合わせた総記録時間を短縮することができる。
【発明の効果】
【００２３】
本発明によれば、描画用レーザ光を、記録用レーザ光と同じ側から照射することができるので、光情報記録媒体を裏返しせずに光情報記録装置で描画部に描画することが可能になる。また、描画層の材料として記録用レーザ光の波長に合った分解特性を有しているものを用いる必要がないので、照射するレーザ光の波長に依存しないで描画することが可能な光情報記録媒体を得ることができる。
【発明を実施するための最良の形態】
【００２４】
本発明の光情報記録媒体に係る第一の実施形態について、図１〜図５に基づいて説明する。図１は本発明の光情報記録媒体の模式部分断面図であり、ＤＶＤ±Ｒの場合の一例を示している。光情報記録媒体１は、光透過性の第一の基板２の記録用レーザ光Ａの入射側の面と反対側の面に記録層３ａ、第一の反射層３ｂが順次形成された情報記録部３を有し、前記第一の基板２の前記情報記録部３が形成された面に接着剤層６を介して貼りあわされた光透過性の第二の基板５を有し、該第二の基板５の記録用レーザ光Ａの入射側と反対側の面に第一の反射層４ａ、描画層４ｂ、及び保護層４ｃが順次形成された描画部４を有する。前記描画層４ｂは、変色層４ｂ１、変色補助層４ｂ２、前記変色層４ｂ１と前記変色補助層４ｂ２の間に形成された中間層４ｂ３を有する。点線Ａは記録用レーザ光、点線Ｂは描画用レーザ光を示す。第一の基板２には、螺旋状の案内溝ＧＶが形成されており、記録または再生時のトラッキングや位置情報の検出に用いられる。
【００２５】
第一の基板２は、ポリカーボネート等の光透過性の樹脂で構成されており、射出成形等の方法で直径１２０ｍｍ、厚さ０．６ｍｍで中央に直径１５ｍｍの貫通孔（図示せず）を有する円形基板に成形されたものである。案内溝ＧＶは射出成形時に金型内にセットしたスタンパによって形成される。記録層３ａは、有機色素を含む層であり、アゾ系色素やシアニン系色素等の色素を例えばＴＦＰ（テトラフルオロプロパノール）溶液に溶かしたものをスピンコート法によって塗布して形成される。この記録層３ａへの記録は、波長が６３０ｎｍ〜６８０ｎｍの記録用レーザ光Ａを照射してピットを形成することによって行われる。第一の反射層３ｂは、描画用レーザ光Ｂを透過させる半透過性の反射層である。この第一の反射層３ｂを構成する材料としては金属（Ａｇ、Ａｇ合金、Ａｌ）もしくは屈折率の異なる酸化膜を積層させた誘電多層膜が用いられる。これらの材料をスパッタリングやＣＶＤ等の方法で１０〜１００ｎｍの厚さに成膜することによって第一の反射層３ｂが形成される。第二の基板５は第一の基板２と略同形状で、ポリカーボネート等の光透過性の樹脂で構成され、射出成形等の方法で直径１２０ｍｍ、厚さ０．６ｍｍで中央に直径１５ｍｍの貫通孔（図示せず）を有する円形基板に成形されたものである。図１ではこの第二の基板５には案内溝が形成されていないが、描画用の位置情報を検出するために案内溝を形成しても良い。この第二の基板５は接着剤層６を介して第一の基板２の情報記録部３が形成された面と向かい合うように貼りあわされる。接着剤層６は光透過性の硬化性樹脂で構成されており、例えばエポキシ系接着剤等が用いられる。
【００２６】
第ニの反射層４ａは、描画用レーザ光Ｂを照射することによって熱を発する層である。この第ニの反射層４ａは発熱層として作用するものなので、光を全反射する通常の反射層よりも反射率が低い金属が望ましい。このような反射層はスパッタリングやＣＶＤ等によってＡｇ、Ａｌ、Ｔｉ、Ｗおよびそれらの合金等の金属を１０〜１３０ｎｍの厚さに成膜して得られるが熱の拡散が少ないＴｉが好ましい。なお、この第二の反射層４ａは、第一の反射層３ｂと同様に半透過反射層であっても良い。その場合構成する材料は第一の反射層３ｂと同じ材料を用いても良い。この第二の反射層４ａを半透過反射層とした場合、描画用レーザ光Ｂは第二の反射層４ａを透過して描画層４ｂにも照射される。
【００２７】
描画層４ｂは、変色層４ｂ１、変色補助層４ｂ２と中間層４ｂ３で構成されている。この描画層４ｂへの可視情報の記録は、変色層４ｂ１を構成する物質と変色補助層４ｂ２を構成する物質とを加熱溶融して混合させて、変色させることによって行われる。変色は発色と、褪色あるいは消色がある。発色の場合は、変色層４ｂ１は発色剤を含む層となり、変色補助層４ｂ２は顕色剤を含む層となる。褪色あるいは消色の場合は変色層４ｂ１は顕色剤と発色剤の混合物を含む層となり、変色補助層４ｂ２は変色層４ｂ１に含まれる顕色剤と発色剤の相互作用を阻害する物質を含む層となる。変色層４ｂ１及び変色補助層４ｂ２はそれぞれ融点が８０〜２００℃好ましくは１００〜１８０℃であれば良い。なお、図１及び以降の図面においては、第二の反射層４ａに近い側から順に変色層４ｂ１、中間層４ｂ３、変色補助層４ｂ２の順になっているが、逆の並びすなわち第二の反射層４ａに近い側から順に変色補助層４ｂ２、中間層４ｂ３、変色層４ｂ１の順にしても良い。ただし変色が発色の場合では何れの並びでも同じであるが、変色が褪色あるいは消色の場合は変色層４ｂ１が呈色しているので、変色部分が変色層４ｂ１のレーベル面側になるような配置であれば可視情報が変色層４ｂ１に隠れないので好ましい。いずれの場合においても第二の反射層４ａから遠い方の層は光を通すものであることが好ましい。
【００２８】
発色剤としては、ロイコ染料が挙げられ、例えば３−イソペンチルエチルアミノ−６−メチル−７−アニリノフルオラン、３−ジペンチルアミノ−６−メチル−７−アニリノフルオラン、３−ジエチルアミノ−６−メチル−７−アニリノフルオラン、３−ジエチルアミノ−７−(ｍ−トリフルオロメチルアニリノ)フルオラン、３−ジブチルアミノ−６−メチル−７−アニリノフルオラン等のフルオラン骨格を有するものがある。発色剤を含む層はこれらのロイコ染料をＴＦＰ等の溶剤に溶かしたものをスピンコートによって成膜して得られる。
【００２９】
顕色剤は前出のロイコ染料との相互作用によって発色させるもので、具体的な物質としては４，４’−ジヒドロキシジフェニルスルホン、２，４’−ジヒドロキシジフェニルスルホン、４−ヒドロキシ−４’−イソプロポキシジフェニルスルホン、ビス（３−アリル−４−ヒドロキシフェニル）スルホン、ｐ−ヒドロキシ安息香酸ベンジルエステル、２，２’−ビス（ヒドロキシメチル）−１，３−プロパンジオールの重縮合と４−ヒドロキシ安息香酸との脱水縮合物等のフェノール化合物が挙げられる。顕色剤を含む層は、これらのフェノール化合物をブタノール等の溶剤に溶かしたものをスピンコートによって成膜して得られる。なお、変色が褪色または消色の場合の変色層４ｂ１は、発色剤と顕色剤を混合したもの例えばロイコ染料＋ＴＦＰとフェノール化合物＋ブタノールとを混合したものをスピンコートによって成膜して得られる。
【００３０】
顕色剤と発色剤の相互作用を阻害する物質としては、炭化水素のポリマーにヘテロ原子が付いたもののうち、酸性を有さないものが挙げられる。具体的な物質としてはポリメチルメタアクリレート、ポリビニルアルコール、ポリエチレングリコール、エチルセルロース、キチン、キトサン等が挙げられる。褪色または消色の場合の変色補助層４ｂ２は、これらの物質をアルコール等の溶剤に溶かしたものをスピンコートによって成膜して得られる。
【００３１】
中間層４ｂ３は、可視情報を記録する前に変色層４ｂ１と変色補助層４ｂ２が接触して変色を起こすのを防止する役目を有している。そのため、変色層４ｂ１と変色補助層４ｂ２が、互いに接触しただけでは変色を起こさない物質同士で構成されていれば中間層４ｂ３を設けなくても良い。また、この中間層４ｂ３は可視情報の記録時に破れて変色層４ｂ１の物質と変色補助層４ｂ２の物質とが接触・混合できる状態にする役目も有している。この中間層４ｂ３はその厚みや構成する材料の硬さを選択することによって破れの度合いを調節することができる。そしてこの中間層４ｂ３の破れの度合いによって変色層４ｂ１と変色補助層４ｂ２との混合の度合いを調節することができる。中間層４ｂ３を構成する材料としては、Ａｌ、Ｉｎ、Ａｇ、ＴｉやＳｉＯ２が挙げられ、スパッタやＣＶＤによって厚さ５〜２０ｎｍに成膜して得られる。
【００３２】
なお、第二の反射層４ａを半透過反射層にした場合、描画用レーザ光Ｂが直接描画層４ｂに照射されるようになる。よって変色層４ｂ１及び変色補助層４ｂ２内で発熱するように描画用レーザ光Ｂ照射されることによって発熱する物質を混合しても良い。レーザ光の照射によって発熱する物質としては、有機色素もしくはアルミニウム、チタン、タングステン、シリコンまたはゲルマニウム等の金属粒子が好ましい。
【００３３】
保護層４ｃは、描画層４ｂを湿気などから保護する働きを有している。この保護層４ｃは耐熱性及び耐湿性が要求されるとともに、可視情報が記録される描画層４ｂよりも外側にあるので、可視光を通すものである必要がある。保護層４ｃに用いられる材料としては、ポリカーボネート、アクリル系樹脂等がある。この保護層４ｃは光透過性の樹脂シートを接着剤層（図示せず）で貼り付けるか、硬化性樹脂などをスピンコートやスクリーン印刷によって塗布して硬化させることによって形成される。
【００３４】
このように構成された光情報記録媒体１に描画する方法を図１乃至図３に基づいて説明する。なお、ここでは第ニの反射層４ａが光を透過させない反射層であって、変色層４ｂ１がロイコ染料とフェノール化合物との混合物層で変色補助層４ｂ２がポリメチルメタアクリレート（ＰＭＭＡ）である場合について説明する。描画用のレーザ光Ｂが記録用レーザ光Ａと同じ方向から照射される。第一の反射層３ｂは半透過反射層なので、描画用レーザ光Ｂは第一の反射層３ｂを通過して第二の反射層４ａに焦点が当るように照射される。このとき図２に示すように、第二の反射層４ａは描画用レーザ光Ｂのスポットによって加熱されて、発熱部分ＨＰが発生する。この発熱部分ＨＰからの熱が変色層４ｂ１へ伝わっていく。
【００３５】
変色層４ｂ１はロイコ染料とフェノール化合物との相互作用により黒色を呈している。発熱部分ＨＰからの熱が伝わると変色層４ｂ１、変色補助層４ｂ２及び中間層４ｂ３が熱せられる。このとき、温度が融点に達すると、溶融部分ＹＹが形成し、変色層４ｂ１及び変色補助層４ｂ２が液状化する。次に図３に示すように、描画用レーザ光Ｂによって加熱された第二の反射層４ａが熱膨張によって変形し、変形部ＨＫが生じる。この変形部ＨＫは比較的柔らかい描画部４ｂの方向へ出っ張ってくる。この変形部ＨＫによって変色層４ｂ１の溶融したロイコ染料とフェノール化合物の混合物に圧力がかかる。すると中間層４ｂ３が破れて乱流が発生し、変色層４ｂ１の溶融したロイコ染料とフェノール化合物の混合物と、変色補助層４ｂ２の溶融したＰＭＭＡが混合される。混合が起こった部分では、ロイコ染料とフェノール化合物との相互作用がＰＭＭＡによって阻害される。これにより黒色が消えて無色または白色になったように見える変色部ＨＳが形成される。この変色部ＨＳと変色していない部分とのコントラストにより、描画部４に可視情報が形成される。
【００３６】
なお、ここで第二の反射層４ａが半透過反射層の場合について図４に基づいて説明する。描画用レーザ光Ｂが第二の反射層４ａに焦点が当るように照射されると、描画用レーザ光ＢのスポットＳＰによって第二の反射層４ａが加熱される。これと同時に描画用レーザ光Ｂは第二の反射層４ａを透過して描画層４ｂに照射される。このとき描画用レーザ光ＢのスポットＳＰは光の波動性によってビームウェスト（焦点深度）が発生する。このビームウェストの厚みは照射レーザ光の波長およびレンズの開口数によって決まりλ／（ＮＡ）２（ただし、λは照射レーザ光の波長、ＮＡはレンズの開口数を表す）で表される。この現象によって第二の反射層４ａを透過した描画用レーザ光ＢのスポットＳＰは、描画層４ｂまで達する。このスポットＳＰによって変色層４ｂ１及び変色補助層４ｂ２内の発熱物質が加熱され、描画層４ｂが直接発熱する。この方法によれば、第二の反射層４ａの加熱による熱を伝える方法よりも短時間で変色部ＨＳを形成することができ、描画時間を短縮することができる。
【００３７】
このような光情報記録媒体１では、情報記録部３と描画部４が第二の基板５によって隔離されているので、互いに干渉することはない。また、描画用レーザ光Ｂはどの波長のレーザ光を用いても良いので情報記録部３に照射される記録用レーザ光Ａと同じ波長のレーザー光を用いても良いし異なる波長のレーザ光を用いても良い。よってレーザ光源を複数有するマルチドライブと呼ばれる記録再生装置であれば、情報記録部３へのデータ記録と描画部４への可視情報の記録を同時に行うことができる。
【００３８】
また、図５に示すように、第二の反射層４ａに近い変色層４ｂ１の厚みｔ１を、第二の反射層４ａから遠い変色補助層４ｂ２の厚みｔ２よりも薄くしても良い。このような構成であれば、発熱部分ＨＰからの熱が第二の反射層４ａから遠い変色補助層４ｂ２に伝わりやすくなるので、溶融部分ＹＹを変色補助層４ｂ２まで確実に到達させることができる。なお、第二の反射層４ｂに近い方の層が変色補助層４ｂ２である場合は、変色補助層４ｂ２の厚みを変色層４ｂ１の厚みより薄くしても同様の効果を得ることができる。
【００３９】
次に、本発明の光情報記録媒体に係る第ニの実施形態について、図６に基づいて説明する。図６に示す光情報記録媒体１１は前述の第一の実施形態とは異なるＤＶＤ±Ｒの場合の一例を示しており、光透過性の第一基板１２の記録用レーザ光Ａの入射側の面と反対側の面に記録層１３ａ、第一の反射層１３ｂが順次形成された情報記録部１３を有し、光透過性の第二の基板１５の記録用レーザ光Ａの入射側の面に変色補助層１４ｂ２、中間層１４ｂ３、変色層１４ｂ１、第二の反射層１４ａが順次形成された描画部１４を有し、第一の基板１２の情報記録部１３が形成された面すなわち第一の反射層１３ｂが形成された面と、第二の基板１５の描画部１４が形成された面すなわち第二の反射層１４ｂ１が形成された面とを、接着剤層１６を介して貼り合せたものである。なお、描画方法などは、前述の第一の実施形態と同様で、描画用レーザ光Ｂは第一の基板１２、記録層１３ａ、第一の反射層１３ｂ及び接着剤層１６を透過して第二の反射層１４ａに焦点を合わせて照射される。
【００４０】
このような光情報記録媒体１１では、第二の基板１５が保護層として用いることができるので、保護層を形成する分のコストを低減することができる。また、第一の基板１２に情報記録部１３を形成する工程と、第二の基板１５に描画部１４を形成する工程とを、別々の工程で行うことができるので、一つの工程で順次形成する方法に比べて工程を短縮することができる。
【００４１】
次に、本発明の光情報記録媒体に係る第三の実施形態について、図７に基づいて説明する。図７に示す光情報記録媒体２１は前述の第一の実施形態とは異なるＤＶＤ±Ｒの場合の一例を示しており、光透過性の第一基板２２の記録用レーザ光Ａの入射側の面と反対側の面に記録層２３ａ、第一の反射層２３ｂが順次形成された情報記録部２３を有し、その上に変色層２４ｂ１、中間層２４ｂ３、変色補助層２４ｂ２が順次形成された描画部２４を有し、第一の基板２２の情報記録部２３及び描画部２４が形成された面に接着剤層２６を介して貼りあわされた光透過性の第二の基板２５を有する。なお、描画方法などは、前述の第一の実施形態と同様で、描画用レーザ光Ｂは第一の基板２２及び記録層２３ａ透過して第一の反射層２３ｂに焦点を合わせて照射される。
【００４２】
このような光情報記録媒体２１では、情報記録部２３の第一の反射層２３ｂが、描画部２４の反射層として共用されていることを特徴としている。反射層はスパッタやＣＶＤなどの高価な装置を用いるため、製造コストがかかるが、本実施形態の構造では、反射層を一層形成するだけで済むので、その分低コストで裏返しせずに光情報記録装置で描画することができる光情報記録媒体を得ることができる。なお、このような構造では、情報記録部２３と描画部２４が前述の第一及び第二の実施形態と比較して近接して形成されているが、情報記録部２３に照射する記録用レーザ光Ａの波長と描画部２４に照射する描画用レーザ光Ｂの波長を異なるものにすれば影響は小さくなる。また、反射層２３ｂの発熱による記録層２３ａへの影響についても、変色層２４ｂの変色に必要な温度が８０℃〜１８０℃であり、光情報記録媒体に一般的に用いられる色素の分解温度（２５０℃以上）よりも低いので、問題はない。
【００４３】
また、本実施形態の別例として図８に示す光情報記録媒体３１がある。この構造はＣＤ−Ｒと同様の構造を示しており、厚さ１．２ｍｍの光透過性の第一の基板３２の記録用レーザ光Ａの入射側の面と反対側の面に記録層３３ａ、第一の反射層３３ｂが順次形成された情報記録部３３を有し、その上に変色層３４ｂ１、中間層３４ｂ３、変色補助層３４ｂ２、保護層３４ｃが順次形成された描画部３４を有している。なお、この構造の場合、第一の反射層３３ｂは半透過反射層でも全反射する通常の反射層でも良い。
【００４４】
次に、本発明の光情報記録媒体に係る第四の実施形態について、図９に基づいて説明する。図９に示す光情報記録媒体４１はＢＤ−Ｒの場合の構造一例を示しており、光透過性の第一の基板４２の記録用レーザ光Ａの入射側の面に、基板面から第一の反射層４３ｂ、記録層４３ａの順に形成された情報記録部４３を有し、情報記録部４３の記録層４３ａ上に光透過性のカバー層４５が形成されており、第一の基板４２の記録用レーザ光Ａの入射側と反対側の面に、基板面から第二の反射層４４ａ、変色層４４ｂ１、中間層４４ｂ３、変色補助層４４ｂ２、保護層４４ｃの順に形成された描画部４４を有している。また、図示していないが、記録層４３ａとカバー層４５との間には光透過性の保護層が形成されていても良い。なお、描画方法などは、前述の第一の実施形態と同様で、描画用レーザ光Ｂはカバー層４５、記録層４３ａ、第一の反射層４３ｂ及び第一の基板４２を透過して第二の反射層４４ａに焦点を合わせて照射される。
【００４５】
第一の基板４２はポリカーボネート等の光透過性の樹脂で構成されており、射出成形等の方法で直径１２０ｍｍ、厚さ１．１ｍｍで中央に直径１５ｍｍの貫通孔（図示せず）を有する円形基板に成形されたものである。記録層４３ａは有機色素を含む層であり、アゾ系色素やシアニン系色素等の色素を例えばＴＦＰ溶液に溶かしたものをスピンコート法によって塗布して形成される。この記録層４３ａへの記録は、波長が４００ｎｍ〜４５０ｎｍの記録用レーザ光Ａを照射してピットを形成することによって行われる。また、カバー層４５は、厚さ０．１ｍｍの光透過性の樹脂で構成されており、厚さ０．１ｍｍのポリカーボネート等のシートを光透過性の接着剤層（図示せず）で貼りつけるか、光透過性の紫外線硬化樹脂等をスピンコート法等によって塗布して硬化させることにより０．１ｍｍの厚さに成膜する方法で得ることができる。なお、第一の反射層４３ｂ、第二の反射層４４ａ、変色層４４ｂ１、変色補助層４４ｂ２、中間層４４ｂ３及び保護層４４ｃは前述の第一の実施形態と同様である。
【００４６】
このような光情報記録媒体４１では、情報記録部４３が第一の基板４２の一方の面に形成され、描画部４４が第一の基板４２の他方面に形成されるので、第一の基板４２によって隔離され、互いに干渉することはない。また、ＢＤ−Ｒの場合記録用レーザ光Ａと描画用レーザ光Ｂの焦点距離が大きく異なるので、使用する光源が別々のものが使用される。そのためレーザ光源を複数有するマルチドライブと呼ばれる記録再生装置であれば、情報記録部４３へのデータ記録と描画部４４への可視情報の記録を同時に行うことができる。
【００４７】
以上、本発明の実施形態について説明したが、本発明の範囲内であれば、光情報記録媒体の形状などの制限はなく、適用可能である。
【図面の簡単な説明】
【００４８】
【図１】本発明の光情報記録媒体の第一の実施形態を示す模式部分断面図である。
【図２】図１の点線Ｃの部分を拡大した模式部分断面図である。
【図３】図１の点線Ｃの部分を拡大した模式部分断面図で、変色部ＨＳが形成される様子を示す図である。
【図４】図１の点線Ｃの部分を拡大した模式部分断面図で、第二の反射層が半透過反射層の場合を示す図である。
【図５】図１の点線Ｃの部分を拡大した模式部分断面図で、変色層と変色補助層の厚みが異なる場合を示す図である。
【図６】本発明の光情報記録媒体の第二の実施形態を示す模式部分断面図である。
【図７】本発明の光情報記録媒体の第三の実施形態を示す模式部分断面図である。
【図８】本発明の光情報記録媒体の第三の実施形態の別例を示す模式部分断面図である。
【図９】本発明の光情報記録媒体の第四の実施形態を示す模式部分断面図である。
【符号の説明】
【００４９】
１、１１、２１、３１、４１  光情報記録媒体
２、１２、２２、３２、４２  第一の基板
３、１３、２３、３３、４３  情報記録部
３ａ、１３ａ、２３ａ、３３ａ、４３ａ  記録層
３ｂ、１３ｂ、２３ｂ、３３ｂ、４３ｂ  第一の反射層
４、１４、２４、３４、４４  描画部
４ａ、１４ａ、４４ａ  第ニの反射層
４ｂ、１４ｂ、２４ｂ、３４ｂ、４４ｂ、描画層
４ｂ１、１４ｂ１、２４ｂ１、３４ｂ１、４４ｂ１  変色層
４ｂ２、１４ｂ２、２４ｂ２、３４ｂ２、４４ｂ２  変色補助層
４ｂ３、１４ｂ３、２４ｂ３、３４ｂ３、４４ｂ３  中間層
４ｃ、３４ｃ、４４ｃ  保護層
５、１５、２５  第ニの基板
６、１６、２６  接着剤層
４５  カバー層
【図１】
2008204567.tif 000003
【図２】
2008204567.tif 000004
【図３】
2008204567.tif 000005
【図４】
2008204567.tif 000006
【図５】
2008204567.tif 000007
【図６】
2008204567.tif 000008
【図７】
2008204567.tif 000009
【図８】
2008204567.tif 000010
【図９】
2008204567.tif 000011